(57)【要約】【課題】設備上の制約を受けることなく説明時の理解度の低下を防止することが可能な説明用シートを提供する。【解決手段】説明用シート１は、シート材からなり、説明内容を相手側に対して説明するにあたりその説明を支援するものであって、表面に数的内容が記載された第１数的内容部１１，２１，３１と、第１数的内容部１１，２１，３１の数的内容と異なる数的内容が記載された第２数的内容部１２，２２，３２と、第２数的内容部１２，２２，３２の数的内容と異なる数的内容が記載された第３数的内容部１３，２３，３３とを備え、各数的内容部１１〜３３は、それぞれに記載された数的内容に応じた面積を有し、且つ、隣接する各数的内容部１１〜３３の間で折り畳み可能となっている。また、このような第１〜第３数的内容部１１〜３３を有する数的内容表現部１０，２０，３０が３段に構成されている。【選択図】図１
0003178596.tif 000002
【実用新案登録請求の範囲】
【請求項１】
シート材からなり、説明内容を相手側に対して説明するにあたりその説明を支援する説明用シートであって、
表面に数的内容が記載された第１数的内容部と、
前記第１数的内容部と隣接し、当該第１数的内容部の数的内容と異なる数的内容が記載された第２数的内容部と、を備え、
前記第１及び第２数的内容部は、それぞれに記載された数的内容に応じた面積を有し、
当該第１及び第２数的内容部との間で折り畳み可能に構成されている
ことを特徴とする説明用シート。
【考案の詳細な説明】
【技術分野】
【０００１】
本考案は、説明用シートに関する。
【背景技術】
【０００２】
従来、顧客等に対してプレゼン等の何らかの説明を行うにあたっては、説明内容をディスプレイやプロジェクタ等を利用して表示することが知られている。このように、説明内容を表示する場合、表示形態を工夫することで、売上等の金額や販売数量などの数的内容の変化を視覚的に伝えることができ、顧客等の理解度を高めることができる。一例を上げると、説明内容が売上である場合、今年度を売上が棒グラフ上に表示される状態からＰＣ等を操作することで昨年度の売上を棒グラフ上に追加表示し、さらにＰＣ等を操作することで一昨年度の売上を棒グラフ上に追加表示するといった視覚的に数的内容を伝えることができる（特許文献１参照）。
【先行技術文献】
【特許文献】
【０００３】
【特許文献１】特開２０１２−７００６０号公報
【考案の概要】
【考案が解決しようとする課題】
【０００４】
しかし、従来では視覚的に数的内容を伝えるためにディスプレイ、プロジェクタ及びＰＣなどの機器が必要となってしまい、設備上の制約を受けてしまう。また、上記機器が存在しない環境においては、予め数的内容が記載された用紙を準備しておき、配布する方法が採用されるが、この場合には、例えば一昨年度、昨年度、及び今年度の売上が既に棒グラフとして記載されており、数的内容を逐次視覚的に伝える手法を採用できなくなり、理解度の低下を招く可能性がある。
【０００５】
本考案はこのような従来の課題を解決するためになされたものであり、その目的とするところは、設備上の制約を受けることなく説明時の理解度の低下を防止することが可能な説明用シートを提供することにある。
【課題を解決するための手段】
【０００６】
本考案の説明用シートは、シート材からなり、説明内容を相手側に対して説明するにあたりその説明を支援するものであって、表面に数的内容が記載された第１数的内容部と、第１数的内容部と隣接し、第１数的内容部の数的内容と異なる数的内容が記載された第２数的内容部と、を備え、第１及び第２数的内容部は、それぞれに記載された数的内容に応じた面積を有し、当該第１及び第２数的内容部との間で折り畳み可能に構成されていることを特徴とする。
【０００７】
本考案の説明用シートによれば、第１及び第２数的内容部は、それぞれに記載された数的内容に応じた面積を有し、当該第１及び第２数的内容部との間で折り畳み可能に構成されている。このため、第１及び第２数的内容部との間を折り畳み、第１数的内容部を相手側に見せた状態で説明を行った後に、説明シートを開いて第２数的内容部を相手側に見せることにより、ディスプレイやプロジェクタを使用した場合と同様に、数的内容を逐次視覚的に伝えることができ、理解度の低下を防止することができる。従って、設備上の制約を受けることなく説明時の理解度の低下を防止することができる。
【０００８】
なお、上記において数的内容とは、金額、数量など数字を元に量を表現することができる内容の全般を意味し、金額、数量のみならず年齢や日付なども含む概念である。
【考案の効果】
【０００９】
本考案によれば、設備上の制約を受けることなく説明時の理解度の低下を防止することが可能な説明用シートを提供することができる。
【図面の簡単な説明】
【００１０】
【図１】本考案の実施形態に係る説明用シートの斜視図である。
【図２】図１に示した説明用シートを折り畳んだ状態を示す斜視図である。
【図３】説明用シート１の使用方法を示す正面図であり、（ａ）は第１の状態を示し、（ｂ）は第２の状態を示し、（ｃ）第３の状態を示している。
【図４】説明用シート１の使用方法を示す正面図であり、（ａ）は第４の状態を示し、（ｂ）は第５の状態を示し、（ｃ）第６の状態を示している。
【図５】図１に示した説明用シートの裏面を示す正面図である。
【考案を実施するための形態】
【００１１】
以下、本考案の好適な実施形態を図面に基づいて説明する。図１は、本考案の実施形態に係る説明用シートの斜視図である。なお、以下の説明では税金を考慮した金額の数的内容を表現した説明用シートを例に説明するが、説明用シートは、税金を考慮した金額の数的内容を表現するものに限らず、例えば売上等の金額の数的内容を表現するものであってもよいし、販売数量等の数量自体の数的内容を表現するものであってもよいし、他を表現するものであってもよい。
【００１２】
図１に示すように、本実施形態に係る説明用シート１は、シート材からなり、説明内容を相手側に対して説明するにあたりその説明を支援するものである。この説明用シート１は、例えば説明内容が光沢紙に記載されると共に、数的内容表現部１０〜３０が多段（３段）に構成されている。各数的内容表現部１０〜３０は、第１数的内容部１１〜３１と、第２数的内容部１２〜３２と、第３数的内容部１３〜３３とからなっている。
【００１３】
まず、第１数的内容表現部１０について説明する。第１数的内容表現部１０の第１数的内容部１１は、基本となる数的内容が記載された部位である。具体的に第１数的内容部１１には、「利益１億円を役員賞与にすると…。」と記載されている。この「１億円」が数的内容に相当する。なお、「役員賞与」は後述の区分を示している。
【００１４】
第２数的内容部１２は、第１数的内容部１１に隣接し、第１数的内容部１１の数的内容と異なる数的内容が記載された部位である。具体的に第２数的内容部１２には、「税引後利益約６５００万円」と記載されている。同様に、第３数的内容部１３は、第２数的内容部１２を挟んで第１数的内容部１１の反対側に隣接し、第２数的内容部１２の数的内容と異なる数的内容が記載された部位である。具体的に第３数的内容部１３には、「手取額利益約３２５０万円」と記載されている。
【００１５】
また、第２数的内容表現部２０についても、第１数的内容表現部１０と同様に構成されている。すなわち、第２数的内容表現部２０の第１数的内容部２１は、基本となる数的内容が記載された部位であって、具体的には、「利益１億円を役員報酬にすると…。」と記載されている。この「１億円」は数的内容に相当し、「役員報酬」は後述の区分を示している。
【００１６】
第２数的内容部２２は、第１数的内容部２１に隣接し、第２数的内容部２１の数的内容と異なる数的内容が記載された部位である。具体的に第２数的内容部２２には、「給与１億円」と記載されている。同様に、第３数的内容部２３は、第２数的内容部２２を挟んで第１数的内容部２１の反対側に隣接し、第２数的内容部２２の数的内容と異なる数的内容が記載された部位である。具体的に第３数的内容部２３には、「手取額利益約５０００万円」と記載されている。
【００１７】
第３数的内容表現部３０についても、第１及び第２数的内容表現部１０，２０と同様に構成されている。すなわち、第３数的内容表現部３０の第１数的内容部３１は、基本となる数的内容が記載された部位であって、具体的には、「利益１億円を生存退職金にすると…。」と記載されている。この「１億円」は数的内容に相当し、「生存退職金」は後述の区分を示している。
【００１８】
第２数的内容部３２は、第１数的内容部３１に隣接し、第２数的内容部３１の数的内容と異なる数的内容が記載された部位である。具体的に第２数的内容部３２には、「生存退職金１億円」と記載されている。同様に、第３数的内容部３３は、第２数的内容部３２を挟んで第１数的内容部３１の反対側に隣接し、第２数的内容部３２の数的内容と異なる数的内容が記載された部位である。具体的に第３数的内容部３３には、「手取額利益約７９００万円」と記載されている。
【００１９】
このように、本実施形態において説明用シート１は、「役員賞与」「役員報酬」「生存退職金」という区分ごとに、税金に応じた金額の減少を表わしている。ここで、区分とは、端的には金額の種類を示すものである。すなわち、「役員賞与」「役員報酬」「生存退職金」は、すべて金額で表わすことができる対象であるが、同じ金額で表わすことができる対象であっても、支給形態が異なるものである。このため、区分とは、金額で表わすことができる対象を更に細分化するものであるといえ、区分は例えば「売上」「粗利」「利益」などや、「Ａ社」「Ｂ社」「Ｃ社」などを含む概念といえる。
【００２０】
また、図１に示すように、第１〜第３数的内容表現部１０〜３０のぞれぞれの数的内容部１１〜３３は、それぞれに記載された数的内容に応じた面積を有している。このため、各数的内容部１１〜３３は、記載された文字のみならず面積によって視覚的に数的内容を伝えることができる構成となっている。
【００２１】
具体的に第１数的内容表現部１０を例に説明すると、第１数的内容部１１は、「１億円」という金額を示しており、第２数的内容部１２は「６５００万円」という金額を示している。このため、第２数的内容部１２の面積は、第１数的内容部１１の約６５％とされている。同様に第３数的内容部１３の面積は、第１数的内容部１１の約３２．５％とされている。他の数的内容表現部２０，３０についも同様である。
【００２２】
さらに、説明用シート１は、図１に示す破線部において折り畳み可能となっている。このため、説明用シート１は、コンパクト化が可能となっている。図２は、図１に示した説明用シート１を折り畳んだ状態を示す斜視図である。図２に示すように、説明用シート１は、まず第１〜第３数的内容部１１〜３３を順次折り畳み、第１数的内容部１１〜３１が表に面した状態において第１数的内容部１１〜３１を折り畳む構成となっている。このように折り畳むことにより、図２に示すようにコンパクト化が可能となる。
【００２３】
次に、本実施形態に係る説明用シート１の使用方法の例を説明する。図３及び図４は、説明用シート１の使用方法を示す正面図である。まず、説明者は図２に示すように、説明用シート１を折り畳む。
【００２４】
次に、説明者は折り畳んだ説明用シート１の表側を相手側に向け、説明を開始する。本実施形態においては、説明者は、例えば「役員に対して利益１億円をどのように支給すればよいかを説明します。」などという。
【００２５】
次いで、説明者は、「まず、利益１億円を役員賞与として支給するとします。」などと説明し、第２数的内容表現部２０を開いた後に（矢印Ａ１参照）、第１数的内容表現部１０の第２数的内容部１２を展開する（矢印Ａ２参照）。そして、説明者は、「この場合、税引後の利益は約６５００万円となります。」と説明する。
【００２６】
次に、説明者は、図３（ｂ）に示すように、第１数的内容表現部１０の第３数的内容部１３を展開する（矢印Ａ３参照）。このとき、説明者は「そして、手取額は約３２５０万円となります。」と説明する。
【００２７】
その後、説明者は、図３（ｃ）に示すように、第３数的内容表現部３０を開いた後に（矢印Ａ４参照）、第２数的内容表現部２０の第２数的内容部２２を展開する（矢印Ａ５参照）。そして、説明者は、「一方、利益１億円を役員報酬として支給した場合、給与は１億円となります。」と説明する。
【００２８】
次いで、説明者は、図４（ａ）に示すように、第２数的内容表現部２０の第３数的内容部２３を展開する（矢印Ａ６参照）。このとき、説明者は「そして、手取額は約５０００万円となります。」と説明する。
【００２９】
次に、説明者は、図４（ｂ）に示すように、第３数的内容表現部３０の第２数的内容部３２を展開する（矢印Ａ７参照）。そして、説明者は、「また、利益１億円を生存退職金として支給した場合、生存退職金は１億円となります。」と説明する。
【００３０】
次いで、説明者は、図４（ｃ）に示すように、第３数的内容表現部３０の第３数的内容部２３を展開する（矢印Ａ８参照）。このとき、説明者は例えば「そして、手取額は約７９００万円となります。」と説明する。
【００３１】
このように、本実施形態に係る説明用シート１では、「役員賞与」「役員報酬」「生存退職金」などの区分ごとに、１億円の利益に対する手取額を知ることができると共に、第１〜第３数的内容部１１〜３３の面積から視覚的に金額の減少量を知ることができる。
【００３２】
このようにして、本実施形態に係る説明用シート１によれば、ディスプレイやプロジェクタを使用した場合と同様に、数的内容を逐次視覚的に伝えることができ、設備上の制約を受けることなく説明時の理解度の低下を防止することができる。
【００３３】
以上、実施形態に基づき本考案を説明したが、本考案は上記実施形態に限られるものではなく、本考案の趣旨を逸脱しない範囲で、変更を加えてもよい。
【００３４】
例えば、本実施形態においては３段の数的内容表現部１０〜３０を有しているが、１段又は２段であってもよく、さらには４段以上に構成されていてもよい。また、各数的内容表現部１０〜３０は、３つの数的内容部１１〜３３で構成されているが、これに限らず、２つ又は４つ以上であってもよい。
【００３５】
さらに、説明用シート１は図５に示すように構成されてもよい。図５は、図１に示した説明用シート１の裏面を示す正面図である。図５に示すように、説明用シート１の裏面には、説明を補助する内容が記載されている。例えば第１数的内容表現部１０の第２数的内容部１２の裏面には、「利益１億円を役員賞与にすると…。」と記載されている。このため、説明者は、図３（ａ）に示す状態において、第２数的内容部１２の裏面の記載内容を読み上げればよいこととなる。なお、図３（ａ）の状態において第２数的内容部１２の裏面側には第３数的内容部１３が重なっているため、第３数的内容部１３が重なる部位（図５の斜線領域）には、読み上げる文字が記載されておらず読み上げの支障とならないようになっている。
【００３６】
同様に、第２及び第３数的内容表現部２０，３０の第２数的内容部２２，３２の裏面には、「利益１億円を役員報酬にすると…。」「利益１億円を生存退職金にすると…。」と記載されており、第３数的内容部２３，３３が重なる部位（図５の斜線領域）には、読み上げる文字が記載されておらず読み上げの支障とならないようになっている。
【００３７】
さらに、それぞれの第３数的内容部１３〜３３の裏面には、表面と同じ内容が記載されると共に、税の内訳が記載される。具体的に第１及び第２数的内容表現部１０，２０の第３数的内容部１３，２３には、「（所得税４０％＋住民税１０％）」と追記されており、第３数的内容表現部３０の第３数的内容部３３には、「３つの退職金優遇税制」と追記されている。
【００３８】
また、それぞれの第１数的内容部１１〜３１の裏面には、利益１億円を生存退職金とした場合の３つの退職金優遇税制が詳細に記載されている。具体的に第１数的内容表現部１０の第１数的内容部１１の裏面には、「退職所得控除  １〜２０年まで年４０万円  ２１年〜…年７０万円」と記載されている。また、第２数的内容表現部２０の第１数的内容部２１の裏面には、「１／２課税  課税されるのは退職所得控除後の金額の半分」と記載されている。さらに、第３数的内容表現部３０の第１数的内容部３１の裏面には、「分離課税  しかも他の所得とは分離して課税」と記載されている。このように、説明用シート１の裏面には、説明を補助する詳細な内容が記載されていてもよい。
【符号の説明】
【００３９】
１…説明用シート
１０，２０，３０…数的内容表現部
１１〜１３，２１〜２３，３１〜３３…数的内容部
【図１】
0003178596.tif 000003
【図２】
0003178596.tif 000004
【図３】
0003178596.tif 000005
【図４】
0003178596.tif 000006
【図５】
0003178596.tif 000007